(57)【要約】【課題】電子アルバム内にある画像の置換処理を、ユーザが簡単に行えるようにする。【解決手段】置換先画像データから選択された置換先画像データの情報を取得し、さらにアルバム外画像表示領域から選択された置換元画像データの情報を取得する。そして、それぞれ取得した結果に基づき、置換元画像データと置換先画像データとの置換関係を決定し、その決定にしたがって置換先画像データを置換元画像データで置き換えて、その結果を表示させる。【選択図】図７
2008191712.tif 000002
【特許請求の範囲】
【請求項１】
表示装置に表示される置換元画像データ領域及び置換先画像データ領域を確保する表示管理手段と、
前記置換元画像データ領域に表示される複数枚の画像データから選択された、置換元画像データの情報を取得する置換元画像データ選択情報取得手段と、
前記置換先画像データ領域に表示される複数枚の画像データから選択された、複数枚の置換先画像データの情報を取得する置換先画像データ選択情報取得手段と、
前記置換元画像データ選択情報取得手段と前記置換先画像データ選択情報取得手段で取得した結果に基づき、前記置換元画像データと前記複数枚の置換先画像データとの置換関係を決定する置換対象画像データ決定手段と、
前記置換対象画像データ決定手段で決定された前記置換関係に基づき、前記複数枚の置換先画像データを前記置換元画像データで置き換える画像データ置換手段と、
前記画像データ置換手段により置き換えた結果を前記表示管理手段に供給し、前記置換先画像データ領域に表示するように前記表示装置を制御する表示制御手段と、を備える、ことを特徴とする画像処理装置。
【請求項２】
前記置換元画像データは、複数枚の画像データを含む、ことを特徴とする請求項１に記載の画像処理装置。
【請求項３】
前記画像データ置換手段は、
前記置換先画像データ領域から選択された前記複数枚の置換先画像データの属性情報を取得する属性情報取得手段と、
前記属性情報取得手段により取得した前記属性情報を、前記置換元画像データ領域で選択された前記置換元画像データに対して反映させる属性情報反映手段と、
前記属性情報反映手段により処理を行った前記置換元画像データを、前記置換先画像データ領域に格納する属性情報反映結果格納手段と、を備える、ことを特徴とする請求項１記載又は請求項２に記載の画像処理装置。
【請求項４】
番号割当手段と、
マーキング手段と、をさらに備え、
前記番号割当手段は、置換先画像データ選択情報取得手段から取得した前記複数枚の置換先画像データの情報の指定された選択の順番と、前記置換元画像データ選択情報取得手段から取得した前記置換元画像データの情報の指定された選択の順番から番号を割り当てることで前記置換関係を設定し、
前記マーキング手段は、
前記番号割当手段から取得した前記番号を置換元画像データ領域で選択した前記置換元画像データ及び置換先画像データ領域で選択した前記複数枚の置換先画像データ上に表示するように前記表示制御手段を制御する、ことを特徴とする請求項１又は２に記載の画像処理装置。
【請求項５】
配置領域確保手段をさらに備え、
前記配置領域確保手段は、前記置換先画像データ領域でデータが配置されていない領域を選択したときに、前記置換先画像データ領域にある他の画像データと重ならないようにデータ配置領域を確保し、
前記表示管理手段は、前記配置領域確保手段により確保したデータ配置領域を管理する、ことを特徴とする請求項１又は２に記載の画像処理装置。
【請求項６】
複数枚の画像データを用いて画像ファイルを作成する画像処理方法であって、
表示装置に表示される置換先画像データ領域および置換元画像データ領域を管理する表示管理工程と、
前記置換先画像データ領域から選択された複数枚の置換先画像データの情報を取得する置換先画像データ選択情報取得工程と、
前記置換元画像データ領域から選択された置換元画像データの情報を取得する置換元画像データ選択情報取得工程と、
前記置換先画像データ選択情報取得工程と前記置換元画像データ選択情報取得工程で取得した結果に基づき、前記置換元画像データと前記複数枚の置換先画像データとの置換関係を決定する置換対象画像データ決定工程と、
前記置換対象画像データ決定工程で決定された前記置換関係に基づき、前記複数枚の置換先画像データを前記置換元画像データで置き換える画像データ置換工程と、
前記画像データ置換工程により置き換えた結果を前記表示装置の前記置換先画像データ領域に表示する表示制御工程とを備える、ことを特徴とする画像処理方法。
【請求項７】
請求項６に記載の画像処理方法の手順をコンピュータに実行させるためのプログラム。
【発明の詳細な説明】
【技術分野】
【０００１】
本発明は、複数の画像などのオブジェクトを編集し、表示するのに用いて好適な画像処理装置、画像処理方法およびプログラムに関する。
【背景技術】
【０００２】
従来の電子アルバム編集アプリケーションソフトでは、電子アルバム内に配置されている１個の画像データを置き換える場合には、電子アルバム外部の１個の画像データをドラッグアンドドロップする。これにより、電子アルバム上に配置された１個の画像データを、電子アルバム外部の１個の画像データで置き換えることができる。
【０００３】
また、特許文献１で提案されているように、クライアントコンピュータに取り込んだ画像データの中から、所望の画像をユーザが選択し、選択した画像を電子アルバムの所望の位置に配置する技術もすでに知られている。
【特許文献１】特開２０００−０８２１２８号公報
【発明の開示】
【発明が解決しようとする課題】
【０００４】
電子アルバム編集アプリケーションソフトにおいては、編集中に多数の画像データを置き換える作業が発生する。この作業のためには、現在編集中の置き換えられる画像データに対して、置き換えたい画像データをドラッグアンドドロップするという作業を、画像データの枚数分だけ行わなければならない。
【０００５】
また、フレーム処理や回転処理、トリミング処理等が施されている画像データを置き換える場合においても、置き換えたい画像データを置き換えられる画像データにドラッグアンドドロップする。しかしながら、置き換えられた後の画像データには、置き換えられる前の画像データに対して行われたフレーム処理、回転処理、トリミング処理等が反映されない。そのためユーザは、画像データの置換処理を行った後、置き換えられた後の画像データに対して再度、フレーム処理や回転処理、トリミング等の処理を行う必要がある。
【０００６】
また、電子アルバムの編集用表示領域の中で画像データが配置されていない領域に複数枚の画像データを配置するためには、配置したい画像データを所望の位置にドラッグアンドドロップする。その後、編集用表示領域上に表示される画像データの大きさ等を調整し、また必要な画像処理を行わなければならない。
【０００７】
上記の結果、グラフィカルユーザインタフェースの操作に不慣れなユーザにとっては、この複数枚の画像データの置換処理を行うという編集の作業は、より負担が増加するため、編集作業をする意欲が減退する結果となっていた。
【０００８】
本発明は、上述した問題を解決するためになされたものであって、その目的は、複数の画像などのオブジェクトを編集する際に、それらの置換処理を簡単な操作で実行できるようにすることにある。
【課題を解決するための手段】
【０００９】
上記の目的を達成するため、本発明の実施形態に係る画像処理装置は、
複数枚の画像データを用いて画像ファイルを作成する画像処理装置であって、
表示装置に表示される置換先画像データ領域および置換元画像データ領域を管理する表示管理手段と、
前記置換先画像データ領域から選択された複数枚の置換先画像データの情報を取得する置換先画像データ選択情報取得手段と、
前記置換元画像データ領域から選択された置換元画像データの情報を取得する置換元画像データ選択情報取得手段と、
前記置換先画像データ選択情報取得手段と前記置換元画像データ選択情報取得手段で取得した結果に基づき、前記置換元画像データと前記複数枚の置換先画像データとの置換関係を決定する置換対象画像データ決定手段と、
前記置換対象画像データ決定手段で決定された前記置換関係に基づき、前記複数枚の置換先画像データを前記置換元画像データで置き換える画像データ置換手段と、
前記画像データ置換手段により置き換えた結果を前記表示装置の前記置換先画像データ領域に表示する表示制御手段とを備える、ことを特徴とする。
【００１０】
上記の目的を達成するため、本発明の他の実施形態に係る画像処理方法は、
複数枚の画像データを用いて画像ファイルを作成する画像処理方法であって、
表示装置に表示される置換先画像データ領域および置換元画像データ領域を管理する表示管理工程と、
前記置換先画像データ領域から選択された複数枚の置換先画像データの情報を取得する置換先画像データ選択情報取得工程と、
前記置換元画像データ領域から選択された置換元画像データの情報を取得する置換元画像データ選択情報取得工程と、
前記置換先画像データ選択情報取得工程と前記置換元画像データ選択情報取得工程で取得した結果に基づき、前記置換元画像データと前記複数枚の置換先画像データとの置換関係を決定する置換対象画像データ決定工程と、
前記置換対象画像データ決定工程で決定された前記置換関係に基づき、前記複数枚の置換先画像データを前記置換元画像データで置き換える画像データ置換工程と、
前記画像データ置換工程により置き換えた結果を前記表示装置の前記置換先画像データ領域に表示する表示制御工程とを備える、ことを特徴とする。
【発明の効果】
【００１１】
本発明によれば、複数の画像などのオブジェクトを編集する際に、それらの置換処理を簡単な操作で実行することが可能となる。
【発明を実施するための最良の形態】
【００１２】
次に、本発明の実施形態に係る画像処理装置ついて、添付した図面を参照しながら説明する。
【００１３】
＜実施形態１＞
図１は、本発明の実施形態１に係る画像処理装置を使用した画像処理システムの概略構成の１例を示した図である。図１において、画像入力機器１０１は、イメージ情報である光学像を電気信号に変換し、その電気信号に対して所定の画像処理を施して画像データとし、画像処理を施した画像データを記録し、再生する電子機器である。
【００１４】
この画像入力機器１０１としては、例えば被写体を撮影し、撮影した被写体を静止画像データとして記録するデジタルスチルカメラや、撮影した被写体を動画像データとして記憶するデジタルビデオカメラが使用できる。勿論、紙原稿を読み取り、読み取った紙原稿の内容を静止画像データとして出力するスキャナ等も使用することが可能である。
【００１５】
データ転送用インタフェースケーブル１０３は、画像入力機器１０１で生成された画像データをクライアントのコンピュータ１０２に転送するためのインタフェースケーブルである。このデータ転送用インタフェースケーブル１０３としては、例えば、ＵＳＢ（Ｕｎｉｖｅｒｓａｌ Ｓｅｒｉａｌ Ｂｕｓ）や、ＩＥＥＥ１３９４に代表される有線のインタフェースケーブルが使用される。勿論、ＩｒＤＡ（Ｉｎｆａｒａｒｅｄ Ｄａｔａ Ａｓｓｏｃｉａｔｉｏｎ）やＢｌｕｅｔｏｏｔｈ（登録商標）に代表される無線のインタフェース等も使用することが可能である。
【００１６】
コンピュータ１０２は、データ転送用インタフェースケーブル１０３経由で画像入力機器１０１から転送された画像データを編集し、電子アルバムを作成する等の処理を行うためのものである。
【００１７】
データ転送用インタフェースケーブル１０３経由で画像入力機器１０１から転送された画像データは、コンピュータ１０２が備える記憶装置の記憶領域１０４に格納される。この記憶領域１０４としては、記憶装置を構成する例えばハードディスクドライブ（ＨＤＤ）に設定される。なお、画像データの転送は、例えば画像入力機器１０１からコンピュータ１０２へ発行された転送コマンドに従って、コンピュータ１０２が記憶装置の記憶領域１０４を確保した後に行われる。
【００１８】
記憶装置の記憶領域１０４に記憶された画像データは、コンピュータ１０２のＣＰＵが、インストールされているオペレーティングシステム（ＯＳ）１０５の支配下で電子アルバム編集アプリケーション１０６を実行することにより読み出される。
【００１９】
ユーザは、コンピュータ１０２の電子アルバム編集アプリケーション１０６を利用して、記憶領域１０４に格納されている画像データを編集し、電子アルバムを作成する。なお、電子アルバムの作成方法の詳細については後述する。その後コンピュータ１０２は、作成された電子アルバムを保存したり、また出力装置１０８に送信し、印刷物１０９として印刷したりすることになる。
【００２０】
データ転送用インタフェースケーブル１０７は、コンピュータ１０２が作成した電子アルバム等のデータを出力装置１０８に転送するためのインタフェースケーブルである。データ転送用インタフェースケーブル１０７としては、例えば、ＵＳＢ（Ｕｎｉｖｅｒｓａｌ Ｓｅｒｉａｌ Ｂｕｓ）や、ＩＥＥＥ１３９４に代表される有線のインタフェースケーブルが使用可能である。しかし、ＩｒＤＡ（Ｉｎｆａｒａｒｅｄ Ｄａｔａ Ａｓｓｏｃｉａｔｉｏｎ）やＢｌｕｅｔｏｏｔｈ（登録商標）に代表される無線のインタフェースを使用しても、データ転送用インタフェースケーブル１０７の役割を果たすことが可能である。この出力装置１０８は、たとえばプリンタであって、コンピュータ１０２の制御に従って作成した電子アルバムのデータの印刷物１０９を印刷し、出力する。
【００２１】
図２は、図１の本発明の実施形態に係る画像処理装置を構成するコンピュータ１０２の内部のブロック構成図である。図中、２０１は、コンピュータ１０２の全体の制御を司るＣＰＵであり、２０２は、ＢＩＯＳ及びブートプログラムを格納しているＲＯＭ、２０３は、ＣＰＵ２０１のワークエリアとして使用するＲＡＭである。２０４は、ＯＳ、本願の実施形態に係る画像処理装置が使用する電子アルバム編集アプリケーション、各種データファイルを格納可能なハードディスクドライブ（ＨＤＤ）である。２０５は、キーボードやマウス等のポインティングデバイスを含む入力部である。
【００２２】
２０６は、ビデオメモリを内蔵し、ＣＰＵ２０１の制御下で、ビデオメモリへの描画処理と描画されたデータをビデオ信号として出力するコントローラで構成される表示制御部である。２０７は、ＣＲＴやＬＣＤパネル等で構成される表示装置である。尚、表示装置は、本願実施形態に係る画像処理装置に一体化されていても、また、別体化され、ケーブル等で接続される形態であってもよい。
【００２３】
２０８は、デジタルカメラ等の画像入力機器１０１、プリンタ等の出力装置１０８と双方向通信可能なインタフェースである。このインタフェース２０８にデータ転送用インタフェースケーブル１０３、１０７が接続されることになる。各ブロックは内部バスで結合され、制御信号、データ等の交換が実行される。
【００２４】
上記した本願の実施形態に係る画像処理装置の動作にあっては、コンピュータ１０２の電源がＯＮになると、ＣＰＵ２０１は、ＲＯＭ２０２に格納されたブートプログラムを実行し、ＨＤＤ２０４からＯＳをＲＡＭ２０３にロードし起動する。この後、各種のアプリケーションプログラムがＲＡＭ２０３にロードされ、各処理を行うことになる。
【００２５】
図３は、本実施形態に係る画像処理装置であるコンピュータ１０２内の電子アルバム編集アプリケーション１０６の機能の構成および記憶領域１０４の各領域の構成の１例を示した図である。
【００２６】
図３において、データ制御部３０４は、置換先画像データ選択情報取得部３０５、置換元画像データ選択情報取得部３０６、置換対象画像データ決定部３０７を有する。さらにデータ制御部３０４は、画像データ置換部３０８、属性情報取得部３０９、属性情報反映部３１０、属性情報反映結果格納部３１１、マーキング部３１２、配置領域確保部３１３、番号割当部３１６を有する。
【００２７】
そして、ＣＰＵ２０１は、これらの各部を含むデータ制御部３０４を実行して電子アルバム内にある画像データを置き換える処理を実行する。
【００２８】
またＧＵＩ制御部３０１は、図示するように表示制御部３０２と表示管理部３０３を有する。そして、ＧＵＩ制御部３０１は、電子アルバム内にある画像データの置換処理を実行するために必要なグラフィカルユーザインタフェース（以下ＧＵＩとする）画面を表示させる。ＧＵＩ画面にしたがって入力部２０５でユーザにより操作された内容は、データ制御部３０４に対して出力される。
【００２９】
記憶領域１０４は、データ制御部３０４の置換先画像データ選択情報取得部３０５と属性情報取得部３０９とにより取得された情報を記憶するための領域である、置換先画像データ選択情報格納領域３１４を有する。さらに記憶領域１０４は、置換元画像データ選択情報取得部３０６と属性情報取得部３０９により取得された情報を記憶するための領域である、置換元画像データ選択情報格納領域３１５を有する。さらに、電子アルバムでの編集操作について、予めユーザにより設定された値を記憶するための領域である、ユーザ定義ファイル領域３１７も備える。
【００３０】
また、置換元画像データ選択情報格納領域３１５には、図４（ａ）に示すように置換元画像データ選択情報テーブル４０１Ａとして情報が管理されている。図４（ａ）の置換元画像データ選択情報テーブル４０１Ａでは、１番目にファイル名「Ｊ」という画像データが管理されている状態を表している。管理される情報は、具体的には、置換元画像データ表示領域内で選択された順番を表す番号、割当番号、選択された画像データのファイル名を示すファイル名、画像データの格納位置を示すファイルパスを含む。
【００３１】
置換先画像データ選択情報格納領域３１４には、図４（ｂ）、（ｃ）に示すように置換先画像データ選択情報テーブル４０１Ｂおよび４０１Ｃとして各種の情報が管理される。管理される情報は、具体的には、アルバム編集領域内で選択された順番を表す番号、割当番号、選択された画像データのファイル名を示すファイル名がある。図４（ｂ）では、１番目にファイル名「Ａ」、２番目にファイル名「Ｃ」、３番目にファイル名「Ｅ」、４番目にファイル名「Ｈ」という画像データが管理されている状態を表している。ここで、ファイル名は電子アルバム内で一意に画像データを特定できるものであるとする。
【００３２】
以下、本実施形態に係る画像処理装置のＣＰＵ２０１が電子アルバム編集アプリケーションにしたがって図３及び図４で説明した機能モジュールおよび各種の管理情報を利用して、電子アルバム内の画像を置換する動作について説明する。ここでは、図７に示すＧＵＩ画面、図５に示す画像処理装置のＣＰＵ２０１の動作手順を示すフローチャートを参照して説明する。
【００３３】
また、本実施形態では、単一の置換元画像データによって複数の置換先画像データを置き換える場合について説明する。
【００３４】
まず、本実施形態に係る画像処理装置において、入力部２０５を使用したユーザの操作に基づき電子アルバム編集アプリケーション１０６が起動される。ユーザは入力部２０５を操作して、電子アルバムのレイアウトを設定する。ここで設定されるレイアウトは例えば、用紙サイズ、用紙の向き、背景、フレーム枠の大きさや位置があげられる。そして、設定されたレイアウトのデータは、ＨＤＤ２０４に電子アルバム管理データとして格納される。
【００３５】
また、ユーザは入力部２０５を操作して、記憶領域１０４に取り込まれた画像データの中から電子アルバムで編集する画像を選択する。選択された画像のファイル名、画像データまたはファイルパスなども電子アルバム管理データに格納される。また、各画像の電子アルバムでのレイアウト位置、レイアウトサイズも電子アルバム管理データに格納される。また、各画像のトリミング情報、回転情報などの編集属性情報も電子アルバム管理データに格納される。
【００３６】
そして、電子アルバム管理データに基づき、表示データが作成される。この表示データに基づき、アルバム編集画面が表示制御部２０６により表示装置２０７に表示される。アルバム編集画面には電子アルバムに含まれる画像のサムネイルや、電子アルバムの各種編集を指示するためのボタンなどを含む。
【００３７】
その後、ユーザが入力部２０５を操作してアルバム編集画面のボタンがクリックされることにより、画像の置き換え開始の指示を受ける。この指示に応答して、図７（ａ）に示すようなＧＵＩ画面である画像置換画面７０１がコンピュータ１０２の表示装置２０７に表示される。ここで、アルバム外画像表示領域７０２には記憶領域１０４に存在する画像データが一覧表示される。一方、アルバム編集領域７０３には、電子アルバムに含まれる画像データが、電子アルバム管理データにしたがってレイアウトされた状態で表示される。
【００３８】
ユーザは画像置換画面７０１を参照しながら入力部２０５を使用して、アルバム外画像表示領域７０２に表示された画像の中から所望の置換元画像データを選択する。次にユーザは同様にして、アルバム編集領域７０３に表示された画像の中から所望の置換先画像データを選択する。
【００３９】
図７（ａ）に示すように、画像置換画面７０１において、アルバム外画像表示領域７０２では画像データ「Ｊ」７０８が、置換元画像データとして選択されている状態を示している。
【００４０】
また、アルバム編集領域７０３では、画像データ「Ａ」８１０、「Ｃ」８１１、「Ｅ」８１２及び「Ｈ」８１３が置換先画像データとして選択されている状態を示す。
【００４１】
次に、ユーザが置換ボタン７２０をマウス等でクリックすると、置換元画像データと置換先画像データとの置換関係が決定される。そして、画像データ「Ａ」８１０、「Ｃ」８１１、「Ｅ」８１２及び「Ｈ」８１３を、画像データ「Ｊ」７０８の画像データに置き換える処理が行われる。そして、置換結果が図７（ｂ）で示すように、８２４、８２５、８２６および８２７は、すべて画像データ「Ｊ」７０８の画像データに書き換えられて表示装置２０７に表示される。
【００４２】
次に図５を参照して、上述した画像の置き換え開始の指示を受け、画像置換画面７０１が表示された後の、画像処理装置のＣＰＵ２０１の動作手順を説明する。
【００４３】
まず、図７（ａ）の画像置換画面７０１のアルバム外画像表示領域７０２で置換元画像データが選択されたか否かが、ステップＳ１で判断される。
【００４４】
本実施形態では、アルバム外画像表示領域７０２で置換元画像データとして画像データ「Ｊ」７０８が選択されたとする。
【００４５】
次にステップＳ２に移行し、置換元画像データ選択情報取得部３０６を用いて、ステップＳ１で選択された置換元画像データの属性情報が取得される。属性情報としては、ファイル名、ファイルパスなどの情報がある。具体的には、アルバム外画像表示領域７０２より画像データ「Ｊ」７０８が置換元画像データとして選択されると、表示制御部３０２からデータ制御部３０４にその旨が通知される。データ制御部３０４は、置換元画像データ選択情報取得部３０６を用いて、通知された置換元画像データの属性情報を取得し、選択情報として記憶領域１０４の置換元画像データ選択情報格納領域３１５に格納する。
【００４６】
置換元画像データ選択情報格納領域３１５には、図４（ａ）に示すように置換元画像データの選択情報が格納される。具体的には、図４（ａ）に示す置換元画像データ選択情報テーブル４０１Ａに画像データ「Ｊ」７０８のファイル名「Ｊ」が登録されている。
【００４７】
本実施形態では、選択された置換元画像データは画像データ「Ｊ」７０８のみで単数であるとする。次にステップＳ５では、アルバム編集領域７０３で置換先画像データが選択されたか否かが確認される。
【００４８】
本実施形態では、図７（ａ）に示すように、置換先画像データとして画像データ「Ａ」８１０、「Ｃ」８１１、「Ｅ」８１２及び「Ｈ」８１３の複数の置換先画像データが選択されたものとする。
【００４９】
次にステップＳ６では、置換先画像データ選択情報取得部３０５を用いて選択された画像データのファイル名や選択の順番などの属性情報を取得する。ここで、置換先画像データのファイル名は電子アルバム内で一意に特定されるものとする。具体的には、アルバム編集領域７０３より画像データ「Ａ」８１０、「Ｃ」８１１、「Ｅ」８１２及び「Ｈ」８１３が置換先画像データとして選択されると、表示制御部３０２からデータ制御部３０４にその旨が通知される。
【００５０】
データ制御部３０４は、置換先画像データ選択情報取得部３０５を用いて、通知された置換先画像データの属性情報を取得し、選択情報として記憶領域１０４の置換先画像データ選択情報格納領域３１４に格納する。
【００５１】
置換先画像データ選択情報格納領域３１４には、図４（ｂ）に示すように各置換先画像データの選択情報が格納される。具体的には、図４（ｂ）に示す置換先画像データ選択情報テーブル４０１Ｂに、１番目にファイル名「Ａ」、２番目にファイル名「Ｃ」、３番目にファイル名「Ｅ」及び４番目ファイル名「Ｈ」などのように各置換先画像データの選択情報が登録される。これは、アルバム編集領域７０３で選択された順番にしたがって、登録されるものである。
【００５２】
なお、アルバム編集領域７０３で選択された画像データ「Ａ」８１０の選択状態が解除された場合は、データ制御部３０４は、置換先画像データ選択情報格納領域３１４に登録した選択情報の中から画像データ「Ａ」８１０の選択情報を削除する。そして、アルバム編集領域７０３で選択された順番を更新し、新しい順番にしたがって他の置換先画像データのファイル名「Ｃ」、ファイル名「Ｅ」、ファイル名「Ｈ」等の選択情報を格納する。
【００５３】
次にステップＳ１４では、ユーザが入力部２０５のマウスを使って置換ボタン７２０をクリックすることにより、置き換え実行の指示がされたか否かが判定される。指示されたと判定されると、ステップＳ１５に移行する。
【００５４】
ステップＳ１５では、データ制御部３０４と置換対象画像データ決定部３０７により、置換先画像データ選択情報格納領域３１４の選択情報と置換元画像データ選択情報格納領域３１５の選択情報を参照して置換対象となる画像データが決定される。本実施形態では、置換先画像データとして画像データ「Ａ」８１０、「Ｃ」８１１、「Ｅ」８１２及び「Ｈ」８１３を、置換元画像データとして画像データ「Ｊ」７０８を置換対象として決定する。
【００５５】
ステップＳ１９では、データ制御部３０４が画像データ置換部３０８を用いて置換対象画像データ決定部３０７により決定された画像データ同士の置換処理を行う。具体的には、まず、置換先画像データ選択情報格納領域３１４の選択情報から、ファイル名「Ａ」が読出される。そして、電子アルバム管理データからファイル名「Ａ」を有するレコードが検索される。検索されたレコードのファイル名が「Ｊ」に、ファイルパスが画像データ「Ｊ」のファイルパスにそれぞれ更新される。これにより、画像データ「Ａ」を画像データ「Ｊ」に置き換える処理が行われる。同様にして、画像データ「Ｃ」、「Ｅ」、「Ｈ」も画像データ「Ｊ」に置き換える処理が行われる。
【００５６】
ステップＳ２０では、更新された電子アルバム管理データが読み出され、ステップＳ１９での処理が反映された画像置換画面の表示データが作成される。そして、表示データがＧＵＩ制御部３０１に対して送られる。
【００５７】
ＧＵＩ制御部３０１は、新たに取得した表示データにしたがって、表示制御部３０２を用いて、図７（ｂ）に示す画像置換画面７０１に示すように、置換処理の結果を表示装置２０７に表示させる。
【００５８】
以上説明したように、本実施形態によれば、複数の置換先画像データを一度に選択して、１つの置換元画像データにまとめて置き換えることができるので、ユーザの置換操作にかかる負荷を軽減することができる。
【００５９】
＜実施形態２＞
本実施形態では、アルバム編集領域７０３にある複数枚の置換先画像データを、アルバム外画像表示領域７０２にある複数枚の置換元画像データでそれぞれ置き換える場合について説明する。
【００６０】
なお、実施形態１と共通する部分については省略し、本実施形態の特徴とする部分ついて特に詳細に説明する。
【００６１】
図８（ａ）の画像置換画面７０１においては、アルバム外画像表示領域７０２において、置換元画像データとして画像データ「Ｊ」７０８、「Ｋ」７０９、「Ｌ」７１０及び「Ｍ」７１１が選択されている状態を示している。
【００６２】
また、アルバム編集領域７０３では、置換先画像データとして画像データ「Ａ」８１０、「Ｃ」８１１、「Ｅ」８１２及び「Ｈ」８１３が選択されている状態を示す。
【００６３】
次に、ユーザが置換ボタン７２０を入力部２０５のマウス等でクリックする。すると、図８（ｂ）に示すように、画像データ「Ａ」８１０、「Ｃ」８１１、「Ｅ」８１２及び「Ｈ」８１３が、画像データ「Ｊ」７０８、「Ｋ」７０９、「Ｌ」７１０及び「Ｍ」７１１にそれぞれ置き換えられる。そして、この結果が図８（ｂ）の、８５０、８５１、８５２及び８５３で示すように表示装置２０７に表示される。
【００６４】
以下、本実施形態の画像処理装置のＣＰＵ２０１が電子アルバム編集アプリケーションにしたがって図３及び図４で説明した機能モジュールおよび各種の管理情報を利用して実行する、電子アルバム内の画像の置換の動作について図６を参照して説明する。なお、図５のフローチャートと同様のステップについては、同じ符号を付与し、説明を省略する。
【００６５】
図５のステップＳ１が実行された後、図６のステップＳ６２では、置換元画像データの選択情報が取得される。本実施形態では、アルバム外画像表示領域７０２から複数枚の画像データが選択されているので、置換元画像データ選択情報格納領域３１５に格納する情報は以下のようになる。具体的には、選択情報として置換元画像データが選択された順番も取得される。そして、その順番にしたがって、置換元画像データ選択情報テーブル４０１Ａの１番目にはファイル名「Ｊ」が、２番目にはファイル名「Ｋ」が、３番目にはファイル名「Ｌ」が、４番目にはファイル名「Ｍ」がそれぞれ格納される。また、それぞれのファイルパスも格納される。
【００６６】
また、データ制御部３０４が番号割当部３１６を用いて記憶領域１０４内にあるユーザ定義ファイル領域３１７を取得する。そして、ユーザ定義ファイル領域３１７に規定している番号割付基準（例えば選択順、日付順、ファイル名順、サイズ順、解像度順など）に従って、番号割当情報を決定する。そして、番号割付基準にしたがって、各置換元画像データに対して割当番号を発行し、置換元画像データ選択情報格納領域３１５の置換元画像データ選択情報テーブル４０１Ａに登録する。
【００６７】
なお、本実施形態ではユーザ定義ファイル領域３１７に規定している番号割付基準は選択順であるものとして説明する。置換元画像データ選択情報テーブル４０１Ａの選択順にしたがって、画像データ「Ｊ」、「Ｋ」、「Ｌ」、「Ｍ」にそれぞれ１〜４の番号が割り当てられる。
【００６８】
ステップＳ６３では、アルバム外画像表示領域７０２において複数枚の画像データが選択されたかどうか判定される。複数枚の置換元画像データが選択されたと判断されれば、ステップＳ６４の処理を行う。一方、単数であれば、上記した実施形態１と同様の処理を実行することとなる。
【００６９】
ステップＳ６４では、図８（Ａ）に示すように、アルバム外画像表示領域７０２で、各置換元画像データが、置換元画像データ選択情報格納領域３１５に登録された割当番号とともに表示装置２０７に表示される。
【００７０】
具体的には、マーキング部３１２を用いて、置換元画像データ選択情報格納領域３１５に格納された選択情報が参照され、置換元画像データ選択情報テーブル４０１Ａのうち、割当番号とファイル名の情報が取得される。
【００７１】
その後、ＧＵＩ制御部３０１は置換元画像データに割当番号を付与して表示するようにという命令を受ける。ＧＵＩ制御部３０１はアルバム外画像表示領域７０２で既に表示されていた置換元画像データである画像データ「Ｊ」７０８のファイル名に基づき、対応する番号情報（１）７１５を付して表示するよう制御する。同様にして画像データ「Ｋ」７０９、「Ｌ」７１０及び「Ｍ」７１１にも、それぞれと対応する番号情報（２）７１６、（３）７１７及び（４）７１８を付して表示するよう制御する。この動作は、表示管理部３０３を使用して実行される。
【００７２】
そして、図５のステップＳ５の処理が実行される。
【００７３】
次にステップＳ６６では、図５のステップＳ６と同様に置換先画像データの属性情報が取得される。そして、本実施形態では、データ制御部３０４は、取得された選択の順番にしたがって、各置換先画像データに割当番号を発行し、他の属性情報とともに選択情報として置換先画像データ選択情報格納領域３１４に格納する。
【００７４】
なお、データ制御部３０４が、番号割当部３１６を用いて記憶領域１０４内にあるユーザ定義ファイル領域３１７を取得する。そして、ユーザ定義ファイル領域３１７に規定している番号割付基準（例えば選択順、日付順、ファイル名順、サイズ順、解像度順など）に従って、番号割当方法を決定する。本実施形態では、ユーザ定義ファイル領域３１７に規定している番号割付基準は、選択順であるものとする。
【００７５】
ステップＳ６８では、置換先画像データ選択情報格納領域３１４に格納された割当番号が読み出され、各置換先画像データが番号情報とともに表示される。この表示処理についてはステップＳ６４の置換元画像データの場合と同様である。
【００７６】
このようにして、置換元画像データおよび置換先画像データに割当番号が付与されて表示されるので、ユーザはどの画像同士が置換されるかを容易に確認することができる。
【００７７】
ステップＳ６８では、マーキング部３１２を用いて、置換先画像データ選択情報格納領域３１４に格納されたファイル名とその割当番号の情報が参照される。
【００７８】
その後、ＧＵＩ制御部３０１は置換先画像データをその割当番号の情報とともに表示するように命令される。するとＧＵＩ制御部３０１は、アルバム編集領域７０３にある置換先画像データとして選択された画像データ「Ａ」８１０に番号情報の（１）８１５を付して表示する。画像データ「Ｃ」８１１、「Ｅ」８１２及び「Ｈ」８１３にも、（２）８１６、（３）８１７及び（４）８１８がそれぞれに付して表示される。この動作は、表示管理部３０３を使用して実行される。こうして、置換元画像データと置換先画像データとの置換関係が決定される。
【００７９】
次に図５のステップＳ１４の処理が実行された後、ステップＳ６１５では、データ制御部３０４により置換先画像データの割当番号が置換先画像データ選択情報格納領域３１４から読み出される。また、置換元画像データの割当番号が置換元画像データ選択情報格納領域３１５から読み出される。そして、割当番号が一致する画像データ同士を置換相手としてそれぞれ関連づける。例えば、１番目の置換元画像データ「Ｊ」と置換先画像データ「Ａ」とが関連づけられる。同様にして、他の画像データ同士も関連づけられる。
【００８０】
なお、置換先画像データまたは置換元画像データのどちらか一方の数が多ければ、少ない方の画像データの先頭の順番から繰り返して関連づけられる。
【００８１】
ステップＳ６１９では、データ制御部３０４が画像データ置換部３０８を用いて関連づけられた画像データ同士について置換処理を行う。具体的には、まず、置換先画像データ選択情報格納領域３１４の選択情報から、ファイル名「Ａ」を読出す。そして、電子アルバム管理データからファイル名「Ａ」を有するレコードが検索される。検索されたレコードのファイル名を、画像データ「Ａ」と関連づけられた画像データ「Ｊ」のファイル名「Ｊ」に、ファイルパスを画像データ「Ｊ」のファイルパスにそれぞれ更新する。同様にして残りの画像についても順に置き換える処理が行われる。
【００８２】
その後、ステップＳ２０の処理を実行すると、図８（ｂ）に示すように表示される。すなわち、アルバム編集領域７０３で置換元画像データとして選択した複数枚の画像データを、アルバム外画像表示領域７０２で置換先画像データとして選択した複数枚の画像データに正しく置き換えられた状態が表示される。
【００８３】
以上説明したように、本実施形態によれば、複数の置換先画像データと複数の置換元画像データをそれぞれ一度に選択して、まとめて置き換えることができるので、ユーザの置換操作にかかる負荷を軽減することができる。
【００８４】
＜実施形態３＞
本実施形態では、編集属性情報を有する置換先画像データを、置換元画像データと置き換える場合について説明する。なお、実施形態１及び実施形態２と共通する部分については説明を省略し、本実施形態の内容に特化した内容について詳細に説明する。
【００８５】
図９（ａ）の画像置換画面７０１における、アルバム外画像表示領域７０２では、置換元画像データとして画像データ「Ｊ」７０８、「Ｋ」７０９及び「Ｌ」７１０が順に選択されている状態を示している。
【００８６】
また、アルバム編集領域７０３では、置換先画像データとして画像データ「Ａ」９１０、「Ｃ」９１１及び「Ｅ」９１２が順に選択されている状態を示す。
【００８７】
本実施形態では、実施形態２と同様にして、こうして選択された順番に基づき、置換元画像データと置換先画像データとの置換関係が決定される。
【００８８】
次に、ユーザが置換ボタン７２０をマウス等でクリックすると、図９（ｂ）に示すように、画像データ「Ａ」９１０、「Ｃ」９１１及び「Ｅ」９１２に対して置換処理が実行される。すなわち、画像データ「Ｊ」９５０、「Ｋ」９５１、「Ｌ」９５２の順番に、画像データ「Ａ」９１０、「Ｃ」９１１及び「Ｅ」９１２が置き換えらえる。さらに、本実施形態では画像データ「Ａ」９１０、「Ｃ」９１１及び「Ｅ」９１２が持つ編集属性情報を反映させた状態で画像データ「Ｊ」９５０、「Ｋ」９５１、「Ｌ」９５２が表示される。つまり、画像データ「Ｊ」は画像データ「Ａ」が保持していた編集属性情報にしたがってハート型にトリミングされて表示される。また、画像データ「Ｌ」は画像データ「Ｅ」が保持していた編集属性情報にしたがって右９０度に回転した状態で表示されている。
【００８９】
以下、本実施形態の画像処理装置のＣＰＵ２０１が電子アルバム編集アプリケーションにしたがって図３及び図４で説明した機能モジュールおよび各種の管理情報を利用して実行する、電子アルバム内の画像の置換の動作について図１１を参照して説明する。
【００９０】
本実施形態では、図６のステップＳ１、Ｓ６２〜６４、Ｓ５およびＳ６６を順に実行した後、置換先画像データに編集属性情報があるかどうか判定する（ステップＳ１１０９）。図９（ａ）の画像データ「Ａ」９１０はハート型のトリミングを示す編集属性情報を有する。画像データ「Ｃ」９１１は縦長のトリミングを示す編集属性情報を有する。「Ｅ」９１２は右９０度の回転を示す編集属性情報を有する。
【００９１】
ステップＳ１１０９の判定で置換先画像データに編集属性情報があると判定されれば、データ制御部３０４は属性情報取得部３０９を使用して選択した置換先画像データより属性情報を取得し、編集属性情報を記憶領域１０４に格納する（ステップＳ１１１０）。
【００９２】
例えば、図４（ｃ）の置換先画像データ選択情報テーブル４０１Ｃに示すように、編集属性情報が格納される。具体的には、図４（ｃ）のテーブルは選択順の番号、割当番号、ファイル名、編集属性情報を有する。１つの置換先画像データについて複数の編集属性情報を有していてもよい。そして、１番目の置換先画像データにはファイル名「Ａ」、編集属性情報１「トリミング」、編集属性情報２「ハート型」が対応づけて格納されている。そして、２番目の置換先画像データにはファイル名「Ｃ」、編集属性情報１「トリミング」、編集属性情報２「縦長」が対応づけて格納されている。３番目の置換先画像データには、ファイル名「Ｅ」、編集属性情報１「回転」、編集属性情報２「右９０度」が対応づけて格納されている。
【００９３】
図６のステップＳ６８、Ｓ１４、Ｓ６１５の後、ステップＳ１１１６では置換先画像データ選択情報テーブル４０１に編集属性情報が格納されているかどうか判定する。ステップＳ１１１６で、置換先画像データが編集属性情報を有すると判定されれば、ステップＳ１１１７に移行する。
【００９４】
ステップＳ１１１７では、データ制御部３０４が属性情報反映部３１０を使用して、置換先画像データである画像データ「Ｊ」７０８に対しては、画像データ「Ａ」９１０が所有する編集属性情報を反映させる。また、画像データ「Ｋ」７０９に対しては、画像データ「Ｃ」９１１が所有する編集属性情報を反映させる。さらに画像データ「Ｌ」７１０に対しては、画像データ「Ｅ」９１２が持っている編集属性情報を反映させる。
【００９５】
具体的には、画像データ「Ｊ」７０８に対して画像データ「Ａ」９１０が所有するハート型のトリミング情報を反映させる。次に画像データ「Ｋ」７０９に対して画像データ「Ｃ」９１１が所有する縦型のトリミング情報を反映させる。次に画像データ「Ｌ」７１０に対して画像データ「Ｅ」９１２が所有する右９０度の回転情報を反映させる処理を行う。反映させる処理とは、置換元画像データ選択情報テーブル４０１Ａの各置換元画像データのレコードに、関連づけられた置換先画像データの編集属性情報を追加して格納することである。
【００９６】
反映させる処理とは、具体的には、データ制御部３０４が属性情報反映結果格納部３１１を使用して実行する以下の処理を意味する。即ち、置換元画像データ選択情報テーブル４０１Ａの各置換元画像データのレコードに、置換先画像データ選択情報４０１Ｃにある、関連づけられた置換先画像データの編集属性情報を追加して格納する処理である。
【００９７】
次にステップＳ１１１９では、データ制御部３０４が画像データ置換部３０８を用いて、ステップＳ６１５で関連づけられた画像データ同士について置換処理を行う。具体的には、具体的には、まず、置換先画像データ選択情報格納領域３１４の選択情報から、ファイル名「Ａ」を読出す。そして、電子アルバム管理データからファイル名「Ａ」を有するレコードが検索される。また、置換元画像データ選択情報格納領域３１５から置換元画像データ「Ｊ」の選択情報（ファイル名、ファイルパス、編集属性情報）を読み出す。そして、電子アルバム管理データで検索されたレコードのファイル名を画像データ「Ｊ」のファイル名「Ｊ」に、ファイルパスを画像データ「Ｊ」のファイルパスに、そして編集属性情報を追記してそれぞれ更新する。同様にして残りの画像についても順に置き換える処理が行われる。
【００９８】
その後、ステップＳ２０の処理が実行されると、本実施形態では、図９（ｂ）に９５０、９５１および９５２で示すように編集属性情報を反映させた形での置き換え結果が表示される。
【００９９】
尚、本実施形態では、置換元画像データ選択情報テーブル４０１Ａや置換先画像データ選択情報テーブル４０１Ｂに編集属性情報を格納して、反映させる処理を行う場合について説明した。しかし、本処理は省略してもよい。
【０１００】
その場合、電子アルバム管理データには、予め置換先画像データの編集属性情報が格納されている。そして、ステップＳ１１１９において、電子アルバム管理データから検索された置換先画像データのレコードを、置換元画像データの選択情報で更新する際に、編集属性情報を更新しないようにすることで実現できる。
【０１０１】
また、置換先画像データの編集属性情報を置換後に反映させるかどうかを選択できるようにしてもよい。この場合、ユーザによって反映させるかどうかの選択を受付ける。次に、選択の内容を示すフラグを格納しておく。そして、置き換え実行の指示を受けた後、フラグを参照し、反映させることが選択されていれば、電子アルバム管理データで検索された置換先画像データのレコードを、置換元画像データの選択情報で更新する際に、編集属性情報を更新しないようにする。一方、反映しないことが選択されていれば、電子アルバム管理データで検索された置換先画像データのレコードの編集属性情報を予め定められた初期値やユーザによって新たに入力された編集内容で更新する。
【０１０２】
以上説明したように本実施形態によれば、置換先画像データの編集属性情報を反映して置換元画像データへ置換する。したがって、ユーザが置換後に置換元画像データに対して、前に置換先画像データにたいして行ったのと同じ編集操作を再び実行する必要がなくなるので、ユーザの置換操作にかかる負荷を軽減することができる。
【０１０３】
＜実施形態４＞
本実施形態では、アルバム編集領域７０３で画像データが配置されていない領域に、アルバム外画像表示領域７０２にある複数枚の編集属性情報を有する画像データを置き換える場合について説明する。図１０を参照して説明する。
【０１０４】
なお、実施形態１、実施形態２及び実施形態３と共通する部分については説明を省略し、実施形態４の内容に特化した内容について詳細に説明する。
【０１０５】
まず、アルバム編集領域７０３で画像データが配置されていない領域が選択されたか否かを確認する。図１０の場合は、アルバム編集領域７０３で画像データが配置されていない領域９６０、９６１および９６２が選択されている。
【０１０６】
次に、ユーザが選択したアルバム編集領域７０３の画像データが配置されていない領域を確保する処理を行う。具体的には、データ制御部３０４が、配置領域確保部３１３を用いて同一ページ上の他の画像データと重ならない領域に画像配置領域を取得する。
【０１０７】
次に、配置領域確保部３１３で取得した画像データ配置領域をユーザに明示する処理を行う。具体的には、データ制御部３０４が配置領域確保部３１３により取得した画像データ配置領域の情報をＧＵＩ制御部３０１に送り、図１０の９６０、９６１および９６２で示すように、点線枠を付して表示するように命令する。
【０１０８】
この命令に応じてＧＵＩ制御部３０１は、表示管理部３０３を用いて画像データ配置領域の情報を参照して枠情報を作成し、表示制御部３０２を用いて枠を表示させる。
【０１０９】
その後、ユーザの操作に応答して、図１０（ｂ）に示すようにアルバム外画像表示領域７０２で選択した置換元の画像データを、９８０、９８１および９８２で示すように、置換先画像データの指定の場所に配置することが出来る。さらに、順番情報７１５、７１６および７１７と順番情報９７０、９７１、および９７２を使用して、置き換えの順番を指定することも可能である。
【０１１０】
なお、本実施形態では、１枚の画像データを複数の配置領域に格納しても良く、複数枚に対して複数枚の対応には限定されない。
【０１１１】
このように、本実施形態によれば、予め画像データの配置されていない部分に、任意に指定した画像データを貼り付けることが可能となる。なお、上記で説明した本発明の実施形態１乃至４は、適宜組み合わせて実施することが可能である。
【０１１２】
また、上記実施形態では画像データの場合について説明したが、例えば、コメントを示すテキストデータや音声データ、図形データ等の各種オブジェクトのデータであっても同様に本発明を実現することができる。
【０１１３】
また、本発明は、前述した実施形態の機能を実現するソフトウェアのプログラムコードを記録した記憶媒体を、システムあるいは装置に供給することによっても実施可能である。すなわち本発明の目的は、そのシステムあるいは装置のコンピュータ（またはＣＰＵやＭＰＵ）が記憶媒体に格納されたプログラムコードを読出し実行することによっても達成される。
【０１１４】
この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えばフレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１１５】
また、コンピュータが読出したプログラムコードを実行することで、前述した実施形態の機能が実現されるだけでなく、そのプログラムコードの指示に基づき、コンピュータ上で稼働しているＯＳなどが実際の処理の一部または全部を行いこともありうる。それにより、本発明は、その処理によって前述した実施形態の機能が実現される場合も含まれる。
【０１１６】
さらに本発明においては、記憶媒体から読出されたプログラムコードが、コンピュータに挿入された機能拡張ボードやコンピュータに接続された機能拡張ユニットに備わるメモリに書込まれて実施することも可能である。したがって、書込まれプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【０１１７】
【図１】本発明の実施形態に係る画像処理装置を適用した画像処理システムの構成例を示すシステム構成図である。
【図２】本発明の実施形態に係る画像処理装置のハードウェア構成例を示すブロック図である。
【図３】本発明の実施形態に係る画像処理装置が備える機能及び記憶領域の割り当てを示す図である。
【図４】本発明の実施形態に係る画像処理装置で使用される情報管理テーブル構成の一例を示す。
【図５】本発明の実施形態１に係る画像処理装置の動作の一例を説明するフローチャートである。
【図６】本発明の実施形態２に係る画像処理装置の動作の一例を説明するフローチャートである。
【図７】本発明の実施形態１に係る画像処理装置で使用される画像データ置き換え編集画面の表示例である。
【図８】本発明の実施形態２に係る画像処理装置で使用される画像データ置き換え編集画面の表示例である。
【図９】本発明の実施形態３に係る画像処理装置で使用される画像データ置き換え編集画面の表示例である。
【図１０】本発明の実施形態４に係る画像処理装置で使用される画像データ置き換え編集画面の表示例である。
【図１１】本発明の実施形態３に係る画像処理装置の動作の一例を説明するフローチャートである。
【符号の説明】
【０１１８】
１０１  画像入力機器
１０４  記憶領域
２０５  入力部
２０６  表示制御部
２０７  表示装置
３０１  ＧＵＩ制御部
３０２  表示制御部
３０３  表示管理部
３０４  データ制御部
３０５  置換先画像データ選択情報取得部
３０６  置換元画像データ選択情報取得部
３０７  置換対象画像データ決定部
３０８  画像データ置換部
３０９  属性情報取得部
３１０  属性情報反映部
３１１  属性情報反映結果格納部
３１２  マーキング部
３１３  配置領域確保部
３１６  番号割当部
【図１】
2008191712.tif 000003
【図２】
2008191712.tif 000004
【図３】
2008191712.tif 000005
【図４】
2008191712.tif 000006
【図５】
2008191712.tif 000007
【図６】
2008191712.tif 000008
【図７】
2008191712.tif 000009
【図８】
2008191712.tif 000010
【図９】
2008191712.tif 000011
【図１０】
2008191712.tif 000012
【図１１】
2008191712.tif 000013